(57)【要約】【課題】音声通信を利用者の位置情報とともに検索可能な形態でデータベース化し、後から検索することが可能な音声通信蓄積・検索装置を提供する。【解決手段】利用者自身の発信電話端末１５と着信電話端末１６との間の音声通話の音声情報、通話日時、発信者ＩＤ、着信者ＩＤおよび利用者自身の位置情報を統合し、蓄積用データベース１０に登録するデータベース登録部５と、前記情報に対してインデックスを対応付けて検索用データベース１１に格納する索引作成部６と、前記検索用データベース１１を検索するためのクエリを利用者から受けつけ、検索用データベース１１との照合が可能な形式に変換するクエリ入力部７と、前記クエリと前記検索用データベース１１に格納されたインデックスを照合し、前記クエリに合致する音声情報を検索するクエリ照合部８と、前記クエリ照合部８の検索結果を、前記利用者に返す情報提供部９とを備える。【選択図】図１
2010226563.tif 000002
【特許請求の範囲】
【請求項１】
電話交換機に接続されており、発信電話端末と着信電話端末との間の音声通話をモニタして蓄積・検索する装置であって、
利用者自身の発信あるいは利用者自身への着信の音声通話の音声情報をモニタし、記録する音声情報蓄積手段と、
前記音声通話ごとに通話日時を記録する通話日時記録手段と、
前記音声通話ごとに発信者ＩＤと着信者ＩＤを取得する発着ＩＤ取得手段と、
前記音声通話ごとに利用者自身の位置情報を取得する利用者位置情報取得手段と、
前記の各手段で取得した情報を統合し、通話ごとの情報であって、前記発信者ＩＤ、着信者ＩＤ、通話日時、利用者自身の位置情報および音声通話から構成される情報を登録用データベースに登録するデータベース登録手段と、
前記登録用データベースに登録された情報に対してインデックスを作成し、元情報とインデックスを対応付けた形式で検索用データベースに格納する索引作成手段と、
前記検索用データベースを検索するためのクエリを利用者から受けつけ、検索用データベースとの照合が可能な形式に変換するクエリ入力手段と、
前記クエリ入力手段により変換されたクエリを分析し、該クエリと前記検索用データベースに格納されたインデックスを照合し、前記クエリに合致する音声情報を検索するクエリ照合手段と、
前記クエリ照合手段の検索結果を、前記クエリを受け付けた利用者に返す情報提供手段とを備えたことを特徴とする音声通信蓄積・検索装置。
【請求項２】
前記利用者位置情報取得手段は、
さらに発着ＩＤと住所との対応関係を予め記録した発着ＩＤ住所記録部を備え、
前記発着ＩＤ取得手段が取得した音声通話ごとの発信者ＩＤおよび着信者ＩＤを前記発着ＩＤ住所記録部を用いて発信住所および着信住所に変換して前記データベース登録手段に受け渡し、
前記データベース登録手段は、前記発信住所および着信住所を前記音声通話ごとの利用者自身の位置情報として登録する、
ことを特徴とする請求項１に記載の音声通信蓄積・検索装置。
【請求項３】
前記利用者位置情報取得手段は、ＧＰＳ測位による位置情報または、基地局の場所や電波到達範囲などから算出される位置情報を前記利用者自身の位置情報として取得することを特徴とする請求項１に記載の音声通信蓄積・検索装置。
【請求項４】
電話交換機に接続されており、利用者自身の発信あるいは利用者自身への着信の音声通話の音声情報をモニタし、記録する音声情報蓄積手段と、前記音声通話ごとに通話日時を記録する通話日時記録手段と、前記音声通話ごとに発信者ＩＤと着信者ＩＤを取得する発着ＩＤ取得手段と、前記音声通話ごとに利用者自身の位置情報を取得する利用者位置情報取得手段と、前記の各手段で取得した情報を統合し、通話ごとの情報であって、前記発信者ＩＤ、着信者ＩＤ、通話日時、利用者自身の位置情報および音声通話から構成される情報を登録用データベースに登録するデータベース登録手段とを備え、発信電話端末と着信電話端末との間の音声通話をモニタして蓄積・検索する音声通信蓄積・検索装置における音声通信蓄積・検索方法であって、
前記データベース登録手段が、前記音声通話の通話路から電話交換機を介して入力され、前記発着ＩＤ取得手段、通話日時記録手段、利用者位置情報取得手段および音声情報蓄積手段によって各々取得された、発信者ＩＤ、着信者ＩＤ、通話日時、利用者自身の位置情報および音声通話の各情報を前記登録用データベースに登録するステップと、
索引作成手段が、前記登録用データベースに登録された情報に対してインデックスを作成し、元情報とインデックスを対応付けた形式で検索用データベースに格納する索引作成ステップと、
クエリ入力手段が、前記検索用データベースを検索するためのクエリを利用者から受けつけ、検索用データベースとの照合が可能な形式に変換するクエリ入力ステップと、
クエリ照合手段が、前記クエリ入力手段により変換されたクエリを分析し、該クエリと前記検索用データベースに格納されたインデックスを照合し、前記クエリに合致する音声情報を検索するクエリ照合ステップと、
情報提供手段が、前記クエリ照合手段の検索結果を、前記クエリを受け付けた利用者に返す情報提供ステップとを備えたことを特徴とする音声通信蓄積・検索方法。
【請求項５】
前記利用者位置情報取得手段は、さらに発着ＩＤと住所との対応関係を予め記録した発着ＩＤ住所記録部を有し、
前記利用者位置情報取得手段が、前記発着ＩＤ取得手段により取得された音声通話ごとの発信者ＩＤおよび着信者ＩＤを前記発着ＩＤ住所記録部を用いて発信住所および着信住所に変換して前記データベース登録手段に受け渡すステップを備え、
前記登録用データベースに登録するステップは、前記発信住所および着信住所を前記音声通話ごとの利用者自身の位置情報として登録する、
ことを特徴とする請求項４に記載の音声通信蓄積・検索方法。
【請求項６】
前記利用者位置情報取得手段が、ＧＰＳ測位による位置情報または、基地局の場所や電波到達範囲などから算出される位置情報を前記利用者自身の位置情報として取得するステップを備えたことを特徴とする請求項４に記載の音声通信蓄積・検索方法。
【請求項７】
コンピュータを請求項１ないし３のいずれか１項に記載の各手段として機能させる音声通信蓄積・検索プログラム。
【請求項８】
請求項７に記載の音声通信蓄積・検索プログラムを記録したコンピュータ読み取り可能な記録媒体。
【発明の詳細な説明】
【技術分野】
【０００１】
本発明は、音声通信蓄積・検索装置、方法およびプログラムと記録媒体に関し、特に、音声通信を検索可能な形態でデータベース化し、後から検索することを可能とする音声通信蓄積・検索装置、音声通信蓄積・検索方法、音声通信蓄積・検索プログラムおよびそのプログラムを記録した記録媒体に関する。
【背景技術】
【０００２】
特許文献１では、各電話端末が保有する蓄積メモリではなく、ネットワーク上の音声記録装置に通話内容を記録し、蓄積された通話内容の中から所望の通話音声ファイルを利用者が電話端末を使って、発信電話端末番号、着信電話端末番号及び通話日時を指定することにより読み出すことができる装置が記載されている。また、メモリ使用量を通話音声ファイルの場合よりも少なくする目的で、通話音声をテキストに変換して音声記録装置に記録し、通話音声ファイルの代わりにテキストファイルを利用者端末装置に送信する装置についても記載されている。
【先行技術文献】
【特許文献】
【０００３】
【特許文献１】特開２００２−２３７８９１号公報（通話内容記録システム及び音声記録装置）
【発明の概要】
【発明が解決しようとする課題】
【０００４】
しかしながら、上記のような従来の技術では以下のような問題点が生じていた。すなわち、発信電話端末番号、着信電話端末番号及び通話日時を指定して所望の通話音声情報を検索することはできるが、利用者の位置情報が蓄積されないため、通話が行なわれた場所（利用者の場所）や通話内容を指定して所望の通話音声情報を検索することができない。また、ＩＰ網に接続された利用者端末から検索できるが、電話網に接続された電話端末から検索することができない。
【０００５】
本発明の目的は、上記の問題点を解決した、音声通信を利用者の位置情報とともに検索可能な形態でデータベース化し、後から検索することが可能な音声通信蓄積・検索装置、音声通信蓄積・検索方法、音声通信蓄積・検索プログラムおよびそのプログラムを記録した記録媒体を提供することにある。
【課題を解決するための手段】
【０００６】
本発明の音声通信蓄積・検索装置は、電話交換機に接続されており、発信電話端末と着信電話端末との間の音声通話をモニタして蓄積・検索する装置であって、利用者自身の発信あるいは利用者自身への着信の音声通話の音声情報をモニタし、記録する音声情報蓄積手段と、前記音声通話ごとに通話日時を記録する通話日時記録手段と、前記音声通話ごとに発信者ＩＤと着信者ＩＤを取得する発着ＩＤ取得手段と、前記音声通話ごとに利用者自身の位置情報を取得する利用者位置情報取得手段と、前記の各手段で取得した情報を統合し、通話ごとの情報であって、前記発信者ＩＤ、着信者ＩＤ、通話日時、利用者自身の位置情報および音声通話から構成される情報を登録用データベースに登録するデータベース登録手段と、前記登録用データベースに登録された情報に対してインデックスを作成し、元情報とインデックスを対応付けた形式で検索用データベースに格納する索引作成手段と、前記検索用データベースを検索するためのクエリを利用者から受けつけ、検索用データベースとの照合が可能な形式に変換するクエリ入力手段と、前記クエリ入力手段により変換されたクエリを分析し、該クエリと前記検索用データベースに格納されたインデックスを照合し、前記クエリに合致する音声情報を検索するクエリ照合手段と、前記クエリ照合手段の検索結果を、前記クエリを受け付けた利用者に返す情報提供手段とを備えたことを特徴としている。
【０００７】
また、前記利用者位置情報取得手段は、さらに発着ＩＤと住所との対応関係を予め記録した発着ＩＤ住所記録部を備え、前記発着ＩＤ取得手段が取得した音声通話ごとの発信者ＩＤおよび着信者ＩＤを前記発着ＩＤ住所記録部を用いて発信住所および着信住所に変換して前記データベース登録手段に受け渡し、前記データベース登録手段は、前記発信住所および着信住所を前記音声通話ごとの利用者自身の位置情報として登録する、ことを特徴としている。
【０００８】
また、前記利用者位置情報取得手段は、ＧＰＳ測位による位置情報または、基地局の場所や電波到達範囲などから算出される位置情報を前記利用者自身の位置情報として取得することを特徴としている。
【発明の効果】
【０００９】
（１）請求項１〜８に記載の発明によれば、通話内容を指定して所望の通話音声情報を検索することができるので、通話相手や時刻を忘れていても、通話がなされた場所や何に関する通話であったかをもとにして所望の通話音声情報を検索することができる。また、電話網に接続された電話端末からでも検索することができるので、外出先から携帯電話等の電話端末からでも利用者自身の通話を確認することができる。
（２）請求項２、５に記載の発明によれば、利用される電話が固定電話である場合、発着ＩＤ住所記録部によって、発信住所および着信住所を、音声通話ごとの利用者自身の位置情報として容易に取得し、登録することができる。
（２）請求項３、６に記載の発明によれば、利用される電話が携帯電話や移動体である場合の発信、着信の位置情報を、音声通話ごとの利用者自身の位置情報として容易に取得し、登録することができる。
【図面の簡単な説明】
【００１０】
【図１】本発明の一実施形態例における基本構成を示すブロック図。
【図２】本発明の他の実施形態例における基本構成を示すブロック図。
【図３】図１、図２の蓄積用データベース１０のフィールド構成図。
【図４】図１、図２の検索用データベース１１のフィールド構成図。
【図５】実施例３における蓄積用データベース１０の内容例を示すデータ構成図。
【図６】実施例３における検索用データベース１１の内容例を示すデータ構成図。
【図７】実施例３における電話番号と氏名等との対応表の内容例を示す説明図。
【発明を実施するための形態】
【００１１】
以下、図面を参照しながら本発明の実施の形態を説明するが、本発明は下記の実施形態例に限定されるものではない。
【００１２】
図１は実施例１の基本構成を示し、図２は実施例２の基本構成を示しており、まずこれら図１、図２に共通した構成を説明する。
【００１３】
音声通信蓄積・検索装置１２は、音声情報蓄積手段としての音声情報蓄積部１、通話日時記録手段としての通話日時記録部２、発着ＩＤ取得手段としての発着ＩＤ取得部３、利用者位置情報取得手段としての利用者位置情報取得部４、データベース登録手段としてのデータベース登録部５、索引作成手段としての索引作成部６、クエリ入力手段としてのクエリ入力部７、クエリ照合手段としてのクエリ照合部８、情報提供手段としての情報提供部９、登録用データベースとしての蓄積用データベース１０、検索用データベース１１、電話網ＩＦ部１９およびＩＰ網ＩＦ部２０を備えている。
【００１４】
また音声通信蓄積・検索装置１２には、図示省略の利用者自身を認証するための情報（発信者ＩＤ、着信者ＩＤ、パスワード等）が予め記録された認証情報記録部を備えている。
【００１５】
また音声通信蓄積・検索装置１２内の前述した各部は、ハードウェア的にはＣＰＵやメモリから構成される。
【００１６】
１３は電話網、１４は電話網内の交換機、１５は固定電話や携帯電話などの発信電話端末、１６は固定電話や携帯電話などの着信電話端末、１７はＩＰ網、１８はＰＣなどの利用者端末である。
【００１７】
前記音声情報蓄積部１は、音声通話路の途中で音声情報をモニタし、記録する。通話日時記録部２は、通話日時（日付および、通話開始時刻と通話終了時刻もしくは通話時間）を記録する。発着ＩＤ取得部３は、音声通話ごとに発信者ＩＤと着信者ＩＤを取得する。利用者位置情報取得部４は、音声通話ごとに利用者自身の位置情報を取得する。
【００１８】
データベース登録部５は、前記の各部１〜４で取得した情報を統合し、蓄積用データベース１０に登録する。索引作成部６は、蓄積用データベース１０に登録された情報に対してインデックスを作成し、元情報とインデックスを対応付けた形式で検索用データベース１１に格納する。
【００１９】
クエリ入力部７は、検索用データベース１１を検索するためのクエリを利用者から受け付け、検索用データベース１１との照合が可能な形式に変換する。クエリ照合部８は、クエリ入力部７により変換されたクエリを分析し、該クエリと検索用データベース１１のインデックスを照合する。情報提供部９は、クエリ照合部８の検索結果を、前記クエリを受け付けた利用者に返す。
【００２０】
電話網ＩＦ部１９は電話網１３とのインタフェースを司り、ＩＰ網ＩＦ部２０はＩＰ網１７とのインタフェースを司る。
【００２１】
尚、以下の説明では、発信電話端末１５から利用者が電話をかけるごとに記録指示を出す方法を示すが、通話記録を残す指示の方法はこの方法に限らない。例えば、着信電話端末１６が着信を受ける前に交換機１４に記録指示を出す方法、通話記録を行う電話回線をあらかじめ交換機１４に登録しておく方法、交換機１４に収容された全回線の通話記録を残す方法などが考えられるが、本発明では通話記録を残す指示の方法について特に限定しない。また、発信電話端末１５、着信電話端末１６あるいは利用者端末１８から、保存を希望しない通話音声を消去することができる。
【００２２】
尚、図１におけるＳ１〜Ｓ１０，Ｓ１１ａ，Ｓ１２ａ、Ｓ１３，Ｓ１４，Ｓ１５ａ，Ｓ１６ａ、および図２におけるＳ１１ｂ，Ｓ１２ｂ、Ｓ１３，Ｓ１４，Ｓ１５ｂ，Ｓ１６ｂは、各部が行う処理ステップを表している。
【実施例１】
【００２３】
図１において、発信電話端末１５の利用者は、発信電話端末１５から通話を記録することを交換機１４側に指示した上で、着信電話端末１６に電話をかける。すなわち発信電話端末１５は、着信電話端末１６の電話番号を送出する前に、通話を記録する記録指示信号を電話網１３に送出する。記録指示信号の送出後、着信電話端末１６の電話番号を電話網１３に送出する（ステップＳ１）。
【００２４】
電話網１３内の交換機１４は、着信電話端末１６の電話番号に基づいて着信電話端末１６を呼び出し、着信電話端末１６が応答した場合、発信電話端末１５と着信電話端末１６とを接続し、通話路を確立する（ステップＳ２）。同時に、交換機１４は、記録指示信号に応じて、前記通話路を流れる音声通話情報が音声通信蓄積・検索装置１２に記録されるように、電話網ＩＦ部１９を介して前記通話路と音声通信蓄積・検索装置１２とを接続し、発信電話端末１５と着信電話端末１６の利用者間の音声通話情報を音声通信蓄積・検索装置１２に蓄積する（ステップＳ３）。
【００２５】
尚、前記記録指示信号によって音声通話情報を音声通信蓄積・検索装置１２に記録させるのは、発信電話端末１５の利用者が記録指示を出すに限らず、後述する具体例４のように、着信電話端末１６の利用者が着信時に交換機１４に対して記録指示信号を出し、音声電話情報を音声通信蓄積・検索装置１２に記録させる場合もある。
【００２６】
交換機１４は、さらに、電話網ＩＦ部１９を介して利用者自身の位置情報（例：固定電話の場合には発信者ＩＤ、着信者ＩＤ、移動体の場合には端末に内蔵されたＧＰＳによる位置計測結果や基地局情報（緊急通報時の基地局の住所や電波到達範囲などから移動体事業者が算出する位置情報））を利用者位置情報取得部４に受け渡す。
【００２７】
発信電話端末１５と着信電話端末１６の利用者間の通話音声は音声情報蓄積部１からデータベース登録部５に送られ（ステップＳ４）、通話日時（日付および、通話開始時刻と通話終了時刻もしくは通話時間）は通話日時記録部２からデータベース登録部５に送られ（ステップＳ５）、発信者ＩＤ（発信電話端末番号）と着信者ＩＤ（着信電話端末番号）は発着ＩＤ取得部３からデータベース登録部５に送られ（ステップＳ６）、利用者自身の位置情報（利用者の持つ携帯電話がＧＰＳ搭載機種の場合にはＧＰＳ情報、固定電話の場合には利用者の登録住所）は利用者位置情報取得部４からデータベース登録部５に送られ（ステップＳ７）、蓄積用データベース１０に蓄積される（ステップＳ８）。
【００２８】
尚、音声通信蓄積・検索装置１２が固定電話の発着信ＩＤと利用者の登録住所との対応付けを予め記録した発着ＩＤ住所記録部をさらに備え持ち、利用者位置情報取得部４が発着ＩＤ住所記録部を用いて発着ＩＤを利用者の登録住所に変換し、変換結果の住所を利用者自身の位置情報としてデータベース登録部５に送ることとしても良い（なお、図１には発着ＩＤ住所記録部は記載していない）。
【００２９】
このとき、音声通信蓄積・検索装置１２は通話ごとに前記の情報を対応付けて記録し、保存する。図３に蓄積用データベース１０のフィールド構成例を示す（利用者自身の位置情報は「位置情報」として記載している。図４、図５、図６および、以下の記載でも利用者自身の位置情報を「位置情報」と記載する。）。
【００３０】
図３において、通話音声フィールドは通話中に順次記録される。音声認識後テキストのフィールドは音声情報蓄積部１に図示省略の音声認識手段を有している場合に対応している。また、通話終了時刻または通話時間については、通話終了後に記録される。
【００３１】
尚、通話の記録に際して、すべての情報、あるいは一部の情報を暗号化して記録することにより、セキュリティ強度を高めることができる。
【００３２】
索引作成部６では、蓄積用データベース１０の、例えば図３の各フィールドに各々対応付けて記録されている前記の情報を読み出し（ステップＳ９）、発信者ＩＤ、着信者ＩＤ、通話日時（日付、通話開始時刻、通話終了時刻、通話時間）、位置情報、通話内容から検索できるように、これらを索引として付与した後、検索用データベース１１に記録する（ステップＳ１０）。
【００３３】
図４に検索用データベース１１のフィールド構成例を示す。図４において、１１１は検索を容易にするためのインデックス部であり、１１２は音声情報本体部である。インデックス部１１１と音声情報本体部１１２はポインタによって接続されている。図４には、２種類のポインタを持つインデックス部１１１を示している。１つは発信者ＩＤ、着信者ＩＤ、通話日時（日付、通話開始時刻、通話終了時刻）、位置情報を索引としたものであり、もう１つは、音声通話から抽出される音声区間列フィールドと音声認識後のテキストから抽出される全文検索用索引フィールドを持つものである。
【００３４】
尚、図１および実施例２における図２では、蓄積用データベース１０と検索用データベース１１を別のものとしているが、両者には共通するフィールドが存在する（図３と図４、あるいは実施例３における図５と図６参照）。したがって、このような共通のフィールドを共有する形態のデータベース構成であってもよい。また、図６（ｂ）に示す検索用データベース１１のインデックス部１１１には、音声区間列と全文検索用索引を持たせているが、それぞれを別のインデックス部として持たせる形態であってもよい。
【００３５】
尚、索引作成については、音声情報が蓄積用データベース１０に記録されるつどに行う方法や、通話終了後に行う方法、さらにある一定期間後にまとめて行う方法などが考えられるが、ここでは索引作成を行うタイミングについては特に規定しない。
【００３６】
次に、音声通信蓄積・検索装置１２に記録された利用者自身の通話内容を検索する場合、利用者自身を認証するための情報（例えば、発信者ＩＤとパスワード）をＩＰ網１７に接続されたＰＣ等の利用者端末１８から入力する。利用者端末１８は、ＩＰ網１７を介して音声通信蓄積・検索装置１２にアクセスし、利用者が入力した情報を音声通信蓄積・検索装置１２に送信する（ステップＳ１１ａ）。  音声通信蓄積・検索装置１２は、利用者端末１８から送られた利用者自身を認証するための情報が、図示省略の認証情報記録部に予め記録されているかどうかを確認し、記録されている場合には、正規の登録利用者と判断する。
【００３７】
次に、所望の通話内容を検索するために利用者端末１８から利用者が入力したクエリは、ＩＰ網ＩＦ部２０を介してクエリ入力部７に送られる（ステップＳ１２ａ）。クエリは、利用者自身の電話番号、通話先の電話番号および通話日時（あるいは日時の期間）、位置情報や通話に含まれる単語や複合語である。クエリ入力部７では、利用者が入力したクエリをクエリ照合部８に送る（ステップＳ１３）。
【００３８】
クエリ照合部８では、検索用データベース１１からクエリに合致する音声情報を取り出し、情報提供部９に送る（ステップＳ１４）。情報提供部９では、前記クエリに合致する音声情報をＩＰ網ＩＦ部２０に送り（ステップＳ１５ａ）、ＩＰ網１７を介してアクセス元の利用者端末１８に返す（ステップＳ１６ａ）。このようにして、利用者は、利用者端末１８を用いて音声通信蓄積・検索装置１２から送られた音声情報を聞いたり（音声の場合）、閲覧したり（音声認識後のテキストの場合）することができる。
【００３９】
以上の説明から明らかなように、本実施例によれば、利用者の音声情報を音声通信蓄積・検索装置１２に確実に保存することができ、かつ利用者端末１８を用いて所望の音声情報を容易に検索することができる。
【実施例２】
【００４０】
図２は本発明の実施例２における音声通信蓄積・検索装置１２の基本構成を示している。図２において図１と異なる点は、音声通信蓄積・検索装置１２に記録された利用者自身の通話内容を検索する際、電話網１３に接続された電話端末から検索を行える点にあり、その他の部分は図１と同一に構成されている。よって、以下では検索部分についてのみ記載する。尚、図１で説明したステップＳ１〜Ｓ１０は、図２においても同様に実行されるものであるが、図中への表記は省略している。
【００４１】
音声通信蓄積・検索装置１２に記録された利用者自身の通話内容を検索する場合、利用者自身を認証するための情報（例えば、パスワード）を電話網１３に接続された電話端末（発信電話端末１５や着信電話端末１６）から入力する（発信者ＩＤについては、電話端末番号が交換機１４に送信されるので、パスワードの入力だけで、発信者ＩＤとパスワードでの認証が行える）。入力方法としては、音声による入力、ＰＢ信号による数字の入力、携帯電話の場合には文字入力等が考えられるが、ここでは特定しない。
【００４２】
電話端末（発信電話端末１５や着信電話端末１６）は、電話網１３を介して音声通信蓄積・検索装置１２にアクセスし、利用者が入力した情報を音声通信蓄積・検索装置１２に送信する（ステップＳ１１ｂ）。
【００４３】
音声通信蓄積・検索装置１２は、電話端末（発信電話端末１５や着信電話端末１６）から送られた利用者自身を認証するための情報が、図示省略の認証情報記録部に予め記録されているかどうかを確認し、記録されている場合には、正規の登録利用者と判断する。次に、所望の通話内容を検索するために電話端末（発信電話端末１５や着信電話端末１６）から利用者が入力したクエリは、電話網ＩＦ部１９を介してクエリ入力部７に送られる（ステップＳ１２ｂ）。
【００４４】
クエリ入力部７では、利用者が入力したクエリをクエリ照合部８に送る（ステップＳ１３）。クエリ照合部８では、検索用データベース１１からクエリに合致する音声情報を取り出し、情報提供部９に送る（ステップＳ１４）。
【００４５】
情報提供部９では、前記クエリに合致する音声情報を電話網ＩＦ部１９に送り（ステップＳ１５ｂ）、電話網１３を介してアクセス元の電話端末（発信電話端末１５や着信電話端末１６）に返す（ステップＳ１６ｂ）。このようにして、利用者は、電話端末（発信電話端末１５や着信電話端末１６）を用いて音声通信蓄積・検索装置１２から送られた音声情報を聞いたり（音声の場合）、閲覧したり（音声認識後のテキストの場合）することができる。
以上の説明から明らかなように、本実施の形態によれば、利用者の音声情報を音声通信蓄積・検索装置１２に確実に保存することができ、かつ所望の音声情報を電話端末（発信電話端末１５や着信電話端末１６）から容易に検索することができる。
【実施例３】
【００４６】
（具体例：特にクエリの形式と処理について）
実施例３において使用する蓄積用データベース１０と検索用データベース１１の内容例をそれぞれ図５と図６に示す。
【００４７】
図５、図６には、具体的な内容として３通話が記載されている。第１の通話と第２の通話は、同じ発信者ＩＤと着信者ＩＤを持つ。利用者が発信者であるので、位置情報は発信者ＩＤで特定される利用者の登録住所（固定電話住所）「横須賀市××」が記載されている（音声通信蓄積・検索装置１２が発着ＩＤと利用者の登録住所との対応関係をあらかじめ記録した発着ＩＤ住所記録部を備えもち、利用者位置情報取得部４が発信者ＩＤから登録住所への変換を行なうことで、発信者ＩＤから利用者の登録住所を特定することとしても良い）。第３の通話は利用者の携帯電話への着信であり、位置情報はＧＰＳ情報から得られた「東京駅」が記載されている（ＧＰＳから得られた経度緯度情報を目標物に変換してある。）。
【００４８】
尚、携帯電話が発着信電話端末となる場合、電話網ＩＦ部１９を介して利用者位置情報取得部４が取得する位置情報は、携帯電話内蔵のＧＰＳでの測位結果や、基地局情報（通話時に利用している基地局の住所や電波到達範囲などから算出する位置情報）がある。利用者情報取得部４は、電話網ＩＦ部１９を介して取得したこれらの位置情報をそのまま利用者自身の位置情報としてデータベース登録部５に受け渡しても良い。
【００４９】
音声通信蓄積・検索装置１２がＧＰＳでの測位結果や基地局情報と住所との対応関係をあらかじめ記録しておき、ＧＰＳでの測位結果や基地局情報を問い合わせとして受けて住所の情報を返却する住所への変換部や、ＧＰＳでの測位結果や基地局情報と目標物との対応関係をあらかじめ記録しておき、ＧＰＳでの測位結果や基地局情報を問い合わせとして受けて目標物の情報を返却する目標物への変換部を備えもち、利用者位置情報取得部４がこれらの変換部を用いてＧＰＳでの測位結果や基地局情報を住所や目標物の情報に変換し、変換結果を利用者自身の位置情報としてデータベース登録部５に受け渡しても良い。
【００５０】
＜具体例１＞
「046-xxx-xxxx」の電話番号利用者が「0422-yy-yyyy」への通話内容を、例えば図１における利用者端末１８から確認する場合を考える。
【００５１】
まず、利用者は、利用者自身を認証するための情報として発信者ＩＤ「046-xxx-xxxx」とパスワードを、ＩＰ網１７に接続されたＰＣ等の利用者端末１８から入力する。利用者端末１８は、ＩＰ網１７を介して音声通信蓄積・検索装置１２にアクセスし、利用者が入力した情報（発信者ＩＤ「046-xxx-xxxx」とパスワード）を音声通信蓄積・検索装置１２に送信する（ステップＳ１１ａ）。
【００５２】
音声通信蓄積・検索装置１２は、利用者端末１８から送られた利用者自身を認証するための情報が、図示省略の認証情報記録部に予め記録されているかどうかを確認し、記録されている場合には、正規の登録利用者と判断する。
【００５３】
次に、所望の通話内容を検索するために利用者端末１８から利用者はクエリを入力する。ここで、利用者がクエリとして、通話先の電話番号（着信者ＩＤ）＝「0422-yy-yyyy」を入力したものとする。入力されたクエリ（着信者ＩＤ＝「0422-yy-yyyy」）は、ＩＰ網ＩＦ部２０を介してクエリ入力部７に送られる（ステップＳ１２ａ）。
【００５４】
クエリ入力部７では、利用者が入力したクエリ（着信者ＩＤ＝「0422-yy-yyyy」）をクエリ照合部８に送るが、このとき、発信者ＩＤ＝「046-xxx-xxxx」であるという情報も含めた照合可能な形式に変換して送る（ステップＳ１３）。
【００５５】
例えば、『発信者ＩＤ＝「046-xxx-xxxx」  and  着信者ＩＤ＝「0422-yy-yyyy」』といった形式に変換する。クエリ照合部８では、検索用データベース１１から所望されている音声情報を取り出す。すなわち、『発信者ＩＤ＝「046-xxx-xxxx」  and  着信者ＩＤ＝「0422-yy-yyyy」』に合致する音声情報を取り出す。今、検索用データベース１１は図６の内容を持つので、検索用データベースのインデックス部１１１の発信者ＩＤ欄が「046-xxx-xxxx」であり、着信者ＩＤ欄が「0422-yy-yyyy」である２つのレコード（ポインタとして「00001」を持つレコードと「00002」を持つレコード）が取り出される。
【００５６】
さらにクエリ照合部８は、これらのポインタをたどり、検索用データベース１１の音声情報本体部１１２から音声情報を取り出し、情報提供部９に送る（ステップＳ１４）。
【００５７】
情報提供部９では、クエリに合致する２つの音声情報（ポインタとして「00001」を持つレコードと「00002」を持つレコード）をＩＰ網ＩＦ部２０に送り（ステップＳ１５ａ）、ＩＰ網１７を介してアクセス元の利用者端末１８に返す（ステップＳ１６ａ）。
【００５８】
このようにして、「046-xxx-xxxx」の電話番号利用者は、利用者端末１８を用いて音声通信蓄積・検索装置１２から所望の「0422-yy-yyyy」への通話内容を聞いたり（音声の場合）、閲覧したり（音声認識後のテキストの場合）することができる。
【００５９】
尚、発信電話端末１５からも利用者端末１８からと同様に、所望の通話内容を確認することができる（実施例２、図２参照）。このとき、発信電話端末１５が音声の授受のみの場合には、結果を一覧表示できず、各々の通話内容を再生する必要が生じる。このような場合には情報提供部９では、検索結果が複数あることを知らせ（具体例１の場合には２つ）、利用者にどれを再生するかを選択させる方法、最初から１つ１つを再生する方法（具体例１の場合には、ポインタとして「00001」を持つレコードを返して通話内容を再生した後、ポインタとして「00002」を持つレコードを再生する）方法などがある。なお、情報をどのように利用者に提示し、利用者からの指示を得るかの方法についてはここでは規定しない。
【００６０】
＜具体例２＞
「046-xxx-xxxx」の電話番号利用者が「0422-yy-yyyy」への通話のうち、２００９年１月１５日１０時ごろの通話内容を、例えば図１における利用者端末１８から確認する場合を考える。利用者が登録利用者であるかを確認する手続きは具体例１と同じであるので、省略する。
【００６１】
利用者がクエリとして、通話先の電話番号（着信者ＩＤ）＝「0422-yy-yyyy」、通話日時＝「2009.1.15」、開始時刻＝「10:00」を入力したものとする。入力されたクエリ（着信者ＩＤ＝「0422-yy-yyyy」、通話日時＝「2009.1.15」、開始時刻＝「10:00」）は、ＩＰ網ＩＦ部２０を介してクエリ入力部７に送られる（ステップＳ１２ａ）。
【００６２】
クエリ入力部７では、利用者が入力したクエリを、発信者ＩＤ＝「046-xxx-xxxx」であるという情報も含めた照合可能な形式に変換してクエリ照合部８に送る（ステップＳ１３）。クエリに含まれる開始時刻については、利用者が正確な時刻を記憶していることは稀であると考えられるので、照合可能な形式としては開始時刻に幅を持たせたものとする。着信者ＩＤ＝「0422-yy-yyyy」、通話日時＝「2009.1.15」、開始時刻＝「10:00」というクエリに対して、例えば前後１５分の幅を持たせた『発信者ＩＤ＝「046-xxx-xxxx」  and  着信者ＩＤ＝「0422-yy-yyyy」  and  通話日時＝「2009.1.15」  and  開始時刻≧「9:45」  and  開始時刻≦「10:15」』といった形式に変換する。
【００６３】
クエリ照合部８では、『発信者ＩＤ＝「046-xxx-xxxx」  and  着信者ＩＤ＝「0422-yy-yyyy」  and  通話日時＝「2009.1.15」  and  開始時刻≧「9:45」  and  開始時刻≦「10:15」』に合致した音声情報を検索用データベース１１から取り出す。検索用データベース１１は図６の内容を持つので、検索用データベースのインデックス部１１１の発信者ＩＤ欄が「046-xxx-xxxx」、着信者ＩＤ欄が「0422-yy-yyyy」、日時（日付）欄が「2009.1.15」であり、開始時刻が9:45〜10:15の間にあるレコードとして、ポインタとして「00001」を持つレコードが取り出される。さらにクエリ照合部８は、これらのポインタをたどり、検索用データベースの音声情報本体部１１２から音声情報を取り出し、情報提供部９に送る（ステップＳ１４）。
【００６４】
情報提供部９では、クエリに合致する音声情報（ポインタとして「00001」を持つレコード）をＩＰ網ＩＦ部２０に送り（ステップＳ１５ａ）、ＩＰ網１７を介してアクセス元の利用者端末１８に返す（ステップＳ１６ａ）。
【００６５】
このようにして、「046-xxx-xxxx」の電話番号利用者は、開始時刻を正確に記憶していなくても、利用者端末１８を用いて音声通信蓄積・検索装置１２から所望の通話内容を聞いたり（音声の場合）、閲覧したり（音声認識後のテキストの場合）することができる。
【００６６】
尚、具体例１に示したように、発信電話端末１５からも利用者端末１８からと同様に所望の通話内容を確認することができる（実施例２、図２参照）。
＜具体例３＞
「046-xxx-xxxx」の電話番号利用者が通話内容に「○○株式会社」と「××」を含む通話を、例えば図１における利用者端末１８から確認する場合を考える。利用者が登録利用者であるかを確認する手続きは具体例１と同じであるので、その説明は省略する。
【００６７】
利用者がクエリとして、キーワード＝「○○株式会社」かつキーワード＝「××」を入力したものとする。入力されたクエリ（キーワード＝「○○株式会社」かつキーワード＝「××」）は、ＩＰ網ＩＦ部２０を介してクエリ入力部７に送られる（Ｓ１２ａ）。
【００６８】
クエリ入力部７では、利用者が入力したクエリを、発信者ＩＤ＝「046-xxx-xxxx」であるという情報も含めた照合可能な形式に変換してクエリ照合部８に送る（ステップＳ１３）。例えば、『発信者ＩＤ＝「046-xxx-xxxx」  and  全文検索用索引＝「○○株式会社」  and  全文検索用索引＝「××」』といった形式に変換する。
【００６９】
クエリ照合部８では、『発信者ＩＤ＝「046-xxx-xxxx」  and  全文検索用索引＝「○○株式会社」  and  全文検索用索引＝「××」』に合致した音声情報を検索用データベース１１から取り出す。
【００７０】
検索用データベース１１は図６の内容を持つので、検索用データベースのインデックス部１１１の発信者ＩＤ欄が「046-xxx-xxxx」であるのは、ポインタとして「00001」を持つレコードと「00002」を持つレコードの２つである。一方、全文検索用索引＝「○○株式会社」であるレコードは、ポインタとして「00001」を持つレコードと「00002」を持つレコードと「10013」を持つレコードの３つである。また、全文検索用索引＝「××」であるレコードは、「00002」を持つレコードと「10013」を持つレコードの２つである。
【００７１】
すなわち、『発信者ＩＤ＝「046-xxx-xxxx」  and  全文検索用索引＝「○○株式会社」  and  全文検索用索引＝「××」』と合致するのは、「00002」を持つレコードのみが取り出される。さらにクエリ照合部８は、これらのポインタをたどり、検索用データベースの音声情報本体部１１２から音声情報を取り出し、情報提供部９に送る（ステップＳ１４）。
【００７２】
情報提供部９では、クエリに合致する音声情報（ポインタとして「00002」を持つレコード）をＩＰ網ＩＦ部２０に送り（ステップＳ１５ａ）、ＩＰ網１７を介してアクセス元の利用者端末１８に返す（ステップＳ１６ａ）。
【００７３】
このようにして、「046-xxx-xxxx」の電話番号利用者は、通話に含まれているキーワードによって、利用者端末１８を用いて音声通信蓄積・検索装置１２から所望の通話内容を聞いたり（音声の場合）、閲覧したり（音声認識後のテキストの場合）することができる。
【００７４】
尚、具体例１、２に示したように、発信電話端末１５からも利用者端末１８からと同様に所望の通話内容を確認することができる（実施例２、図２参照）。
【００７５】
＜具体例４＞
「090-zzzz-zzzz」の携帯電話番号利用者が東京駅にいるときにかかってきた通話内容を着信電話端末１６から確認する場合を考える。
【００７６】
実施例１、２では、発信者があらかじめ記録指示を交換機１４に出す形態の説明をしているが、具体例４では、着信者が着信時に交換機１４に対して記録指示を出し、通話が記録されていたものとして説明する。また、利用者が正規の登録利用者であると判断されたものとして説明する。
【００７７】
所望の通話内容を検索するために、利用者は、例えば図２における着信電話端末１６からクエリを入力する。利用者が入力したクエリは、電話網ＩＦ部１９を介してクエリ入力部７に送られる（ステップＳ１１ｂ）。ここで、利用者がクエリとして、位置情報＝「東京駅」を入力したものとすると、位置情報＝「東京駅」が電話網ＩＦ部１９を介してクエリ入力部７に送られる（ステップＳ１２ｂ）。
【００７８】
クエリ入力部７では、利用者が入力したクエリ（位置情報＝「東京駅」）をクエリ照合部８に送るが、このとき、着信者ＩＤ＝「090-zzzz-zzzz」であるという情報も含めた照合可能な形式に変換して送る（ステップＳ１３）。
【００７９】
例えば、『着信者ＩＤ＝「090-zzzz-zzzz」  and  位置情報＝「東京駅」』といった形式に変換する。クエリ照合部８では、検索用データベース１１から所望されている音声情報を取り出す。すなわち、『着信者ＩＤ＝「090-zzzz-zzzz」  and  位置情報＝「東京駅」』に合致する音声情報を取り出す。今、検索用データベース１１は図６の内容を持つので、検索用データベースのインデックス部１１１の着信者ＩＤ欄が「090-zzzz-zzzz」であり、位置情報欄が「東京駅」であるレコード（ポインタとして「10013」を持つレコード）が取り出される。さらにクエリ照合部８は、ポインタをたどり、検索用データベースの音声情報本体部１１２から音声情報を取り出し、情報提供部９に送る（ステップＳ１４）。
【００８０】
情報提供部９では、クエリに合致する音声情報（ポインタとして「10013」を持つレコード）を電話網ＩＦ部１９に送り（ステップＳ１５ｂ）、電話網１３を介してアクセス元の着信電話端末１６に返す（ステップＳ１６ｂ）。
【００８１】
このようにして、「090-zzzz-zzzz」の電話番号利用者は、着信電話端末１６を用いて音声通信蓄積・検索装置１２から、「東京駅」にいたときにかかってきた通話を改めて聞くことができる。すなわち、騒音のもとで会話が聞き取りにくく、誰からの電話であったのか、どんな内容であったのかがわからない、あるいは曖昧であるような場合でも、位置情報を指定してすることによって、所望の通話内容を聞いたり（音声の場合）、閲覧したり（音声認識後のテキストの場合）することができる。なお、着信者端末１６だけではなく、発信電話端末１５からも所望の通話内容を確認することができる。また、利用者端末１８からも所望の通話内容を確認することができる（実施例１、図１参照）。
【００８２】
＜具体例５＞
発信電話端末１５、着信電話端末１６、利用者端末１８のいずれかが有する電話帳やアドレス帳のような電話番号と氏名等との対応表を活用すると、所望の通話を検索する際、着信者ＩＤの代わりに氏名等で検索することが可能となる。
【００８３】
前記具体例１と同じく、「046-xxx-xxxx」の電話番号利用者が「0422-yy-yyyy」への通話内容を利用者端末１８から確認する場合を考えるが、利用者が通話先の電話番号を忘れてしまい、通話先の名称「○○株式会社」をクエリとして入力したとする。このとき、利用者端末１８に電話番号と氏名等との対応表（アドレス帳）があり、その内容が図７のようであったとする。
【００８４】
クエリ入力部７では、利用者が入力したクエリ（通話先の名称＝「○○株式会社」）をクエリ照合部８に送るが、このとき、発信者ＩＤ＝「046-xxx-xxxx」であるという情報も含めた照合可能な形式に変換して送る（図１のステップＳ１３）。
【００８５】
このとき、通話先の名称という欄は検索用データベース１１に存在しないので、クエリ入力部７は利用者端末１８に電話番号と氏名等との対応表（アドレス帳）があるかどうかを問い合わせ、ある場合には前記対応表をもとに着信者ＩＤ（通話先の電話番号）を取得する。例えば、前記対応表の内容が図７であった場合、通話先の名称＝「○○株式会社」は着信者ＩＤ＝「0422-yy-yyyy」に置き換えられ、クエリとして『発信者ＩＤ＝「046-xxx-xxxx」  and  着信者ＩＤ＝「0422-yy-yyyy」』といった形式に変換されてクエリ照合部８に送られる。以下、具体例１と同様の処理によって所望の通話内容が検索可能となる。
【００８６】
このようにして、「046-xxx-xxxx」の電話番号利用者は、通話先の電話番号を覚えていなくても、通話先の名称がわかれば、電話番号と氏名等との対応表（アドレス帳）を活用して利用者端末１８を用いて音声通信蓄積・検索装置１２から所望の通話内容を聞いたり（音声の場合）、閲覧したり（音声認識後のテキストの場合）することができる。
【００８７】
尚、電話端末（発信電話端末１５や着信電話端末１６）に電話番号と氏名等との対応表（アドレス帳）がある場合には、クエリ入力部７が電話網ＩＦ部１９と電話網１３を介して照会をかけることにより、前述した利用者端末１８に前記対応表が存在する場合と同様に処理を行うことができる。
【００８８】
また、本実施形態の音声通信蓄積・検索装置における各手段の一部もしくは全部の機能をコンピュータのプログラムで構成し、そのプログラムをコンピュータを用いて実行して本発明を実現することができること、本実施形態の音声通信蓄積・検索方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００８９】
１…音声情報蓄積部
２…通話日時記録部
３…発着ＩＤ取得部
４…利用者位置情報取得部
５…データベース登録部
６…索引作成部
７…クエリ入力部
８…クエリ照合部
９…情報提供部
１０…蓄積用データベース
１１…検索用データベース
１２…音声通信蓄積・検索装置
１３…電話網
１４…交換機
１５…発信電話端末
１６…着信電話端末
１７…ＩＰ網
１８…利用者端末
１９…電話網ＩＦ部
２０…ＩＰ網ＩＦ部
１１１…検索用データベース１１のインデックス部
１１２…検索用データベース１１の音声情報本体部
【図１】
2010226563.tif 000003
【図２】
2010226563.tif 000004
【図３】
2010226563.tif 000005
【図４】
2010226563.tif 000006
【図５】
2010226563.tif 000007
【図６】
2010226563.tif 000008
【図７】
2010226563.tif 000009